(57)【特許請求の範囲】
【請求項１】
収納体の開口部を開閉可能な蓋体を２方向から開閉するための蓋体の開閉機構において、
前記開閉機構は、
前記蓋体の対向する２辺にそれぞれ配置され、前記対向する方向に直交する方向にスライド可能に設けられる２個のロックスライダーと、
前記各ロックスライダーの両端部にそれぞれ設けられ、前記収納体に設けられた対向する一対の軸挿入凹部に回転可能に支持されるとともに、互いに接離する方向にスライドすることで、前記一対の軸挿入凹部に出退可能な一対の開閉軸と、
前記一対の開閉軸を互いに離隔する方向に付勢することで、前記一対の軸挿入凹部に係合させるための第１付勢手段と、
前記２個のロックスライダーにそれぞれ設けられ、前記第１付勢手段の付勢力に抗して前記一対の開閉軸を互いに接近する方向に移動させることで、前記一対の軸挿入凹部から係脱させ、前記蓋体の開放を可能とするための２個のロック解除ボタンとを備え、
前記各ロック解除ボタンには、
相対向して互いに接近する方向に延びるロッド部をそれぞれ設け、
両ロッド部の互いに接近したロッド端部の間の距離を、
前記２個のロック解除ボタンが同時に操作されたときに互いに衝突することで、前記一対の軸挿入凹部から前記一対の開閉軸が係脱することを阻止する距離に設定するとともに、
前記２個のロック解除ボタンの一方のロック解除ボタンを操作して、当該ロック解除ボタンに対応する前記ロックスライダーの前記開閉軸を前記収納体の前記軸挿入凹部から係脱させた後、他方のロック解除ボタンを操作して、当該ロック解除ボタンに対応する前記ロックスライダーの前記開閉軸を前記収納体の前記軸挿入凹部から係脱させることで、前記蓋体を前記収納体から取り外せるようにしていることを特徴とする蓋体の開閉機構。
【請求項２】
請求項１に記載の蓋体の開閉機構であって、
前記２個のロッド端部の間には、
前記２個のロッド端部を互いに離隔する方向に付勢することで、各ロック解除ボタンを操作方向と逆向きに突出させるための第２付勢手段を備えていることを特徴とする蓋体の開閉機構。
【請求項３】
請求項１又は請求項２に記載の蓋体の開閉機構であって、
前記収納体の開口部の周縁部には、
開放した前記蓋体のヒンジ側の前記ロック解除ボタンと当接することで、前記蓋体を直立状態に維持させるための姿勢維持部を設けていることを特徴とする蓋体の開閉機構。
【請求項４】
請求項３に記載の蓋体の開閉機構であって、
前記ロック解除ボタンと姿勢維持部との間には、
互いにはまり込む凹凸部の一方をそれぞれに設けていることを特徴とする蓋体の開閉機構。
【請求項５】
請求項１〜４に記載の蓋体の開閉機構であって、
前記一対の軸挿入凹部の縁部には、
開放した前記蓋体が閉じる際に、前記蓋体の自由端側の前記一対の開閉軸にそれぞれ当接し、当該一対の開閉軸を互いに接近する方向に移動させるためのテーパー面をそれぞれ設けていること特徴とする蓋体の開閉機構。
【発明の詳細な説明】
【技術分野】
【０００１】
この発明は、例えば自動車のコンソールボックスの蓋体の開閉機構に関する。蓋体は、２方向から開閉可能なものである。
【背景技術】
【０００２】
従来、蓋体を２方向から開閉可能な開閉機構としては、蓋体を開放した状態でのロック解除操作機構の操作を不能とする拘束機構を備えたものが知られている（例えば特許文献１の段落番号「００２３」及び「００２４」、図７参照）。
また、開放した蓋体を直立状態に維持するために、ピストン状の押圧体をコイルバネを介して可動ロック軸に係合させるようにした開閉機構が知られている（例えば特許文献２の段落番号「００２２」及び「００２９」、図９参照）。
【特許文献１】特開平04-224431号公報（段落番号「００２３」及び「００２４」、図７）
【特許文献２】特開平10-250485号公報（段落番号「００２２」及び「００２９」、図９）
【発明の開示】
【発明が解決しようとする課題】
【０００３】
しかし、上記した従来の前者の開閉機構（例えば特許文献１）は、蓋体を開放した状態でのロック解除操作機構の操作が不能であるために、メンテナンス時でも収納体から蓋体を取り外すことができないという第１の問題点があった。
また、上記した従来の後者の開閉機構（例えば特許文献２）は、ロック解除ボタンのほかに、押圧体やコイルバネ等を必要としていたので、構造が複雑になってしまうという第２の問題点があった。
【０００４】
そこで、各請求項にそれぞれ記載された各発明は、上記した従来の技術の有する第１、第２の問題点に鑑みてなされたものであり、その目的とするところは、次の点にある。
（請求項１）
請求項１に記載の発明は、次の点を目的とする。
すなわち、請求項１に記載の発明は、蓋体の開放状態においても、ヒンジ側のロック解除ボタンの操作を可能とすることで、メンテナンス時に収納体から蓋体を取り外すことができるようにしたものである。
（請求項２）
請求項２に記載の発明は、上記した請求項１に記載の発明の目的に加え、次の点を目的とする。
【０００５】
すなわち、請求項２に記載の発明は、第２付勢手段の付勢力により、ロック解除ボタンを操作方向と逆向きに突出させることができるようにしたものである。
すなわち、請求項２に記載の発明によれば、ロック解除ボタンを復帰させるために、第１付勢手段の付勢力を必要としなくなるので、第１付勢手段の付勢力を適切に設定、例えば必要最小限度の付勢力に設定することができる。
（請求項３）
請求項３に記載の発明は、上記した請求項１又は請求項２に記載の発明の目的に加え、次の点を目的とする。
【０００６】
すなわち、請求項３に記載の発明は、蓋体の解放時に、ロック解除ボタンを収納体に直接的に当接させることで、蓋体を直立状態に維持させることができるようにしたものである。
（請求項４）
請求項４に記載の発明は、上記した請求項３に記載の発明の目的に加え、次の点を目的とする。
【０００７】
すなわち、請求項４に記載の発明は、ロック解除ボタンと収納体側の姿勢維持部との間に、互いにはまり込む凹凸部の一方をそれぞれに設けることで、開放状態の蓋体が不用意に閉じるのを未然に防止することができるようにしたものである。
（請求項５）
請求項５に記載の発明は、上記した請求項１〜４のいずれか１項に記載の発明の目的に加え、次の点を目的とする。
【０００８】
すなわち、請求項５に記載の発明は、開放した蓋体が閉じる際に、テーパー面により一対の開閉軸を案内でき、蓋体をスムーズに閉じることができるようにしたものである。
例えば、蓋体を自重だけで閉じるようにすることも可能である。
【課題を解決するための手段】
【０００９】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１０】
第１に、収納体(20)の開口部(21)を開閉可能な蓋体(30)を２方向から開閉するための蓋体(30)の開閉機構である。
第２に、開閉機構は、例えば図１〜７に示すように、次の構成を備える。
（１）２個のロックスライダー(60,70)
２個のロックスライダー(60,70)は、例えば図３に示すように、蓋体(30)の対向する２辺にそれぞれ配置され、対向する方向に直交する方向にスライド可能に設けられている。
【００１１】
（２）一対の開閉軸(121,131,141,151)
一対の開閉軸(121,131,141,151)は、例えば図１及び図７に示すように、各ロックスライダー(60,70)の両端部にそれぞれ設けられ、収納体(20)に設けられた対向する一対の軸挿入凹部(22)に回転可能に支持されるとともに、互いに接離する方向にスライドすることで、一対の軸挿入凹部(22)に出退可能なものである。
【００１２】
（３）第１付勢手段(100,101)
第１付勢手段(100,101)は、例えば図１及び図２に示すように、一対の開閉軸(121,131,141,151)を互いに離隔する方向に付勢することで、一対の軸挿入凹部(22)に係合させるためのものである。
（４）２個のロック解除ボタン(80,90)
２個のロック解除ボタン(80,90)は、例えば図１及び図２に示すように、２個のロックスライダー(60,70)にそれぞれ設けられ、第１付勢手段(100,101)の付勢力に抗して一対の開閉軸(121,131,141,151)を互いに接近する方向に移動させることで、一対の軸挿入凹部(22)から係脱させ、蓋体(30)の開放を可能とするためのものである。
【００１３】
第３に、各ロック解除ボタン(80,90)には、例えば図１に示すように、相対向して互いに接近する方向に延びるロッド部(82,92)をそれぞれ設けている。
第４に、両ロッド部(82,92)の互いに接近したロッド端部の間の距離(L)を、例えば図１及び図１１に示すように、２個のロック解除ボタン(80,90)が同時に操作されたときに互いに衝突することで、一対の軸挿入凹部(22)から一対の開閉軸(121,131,141,151)が係脱することを阻止する距離に設定している。
【００１４】
第５に、２個のロック解除ボタン(80,90)の一方のロック解除ボタン(80,90)を操作して、当該ロック解除ボタン(80,90)に対応するロックスライダー(60,70)の開閉軸(121,131,141,151)を収納体(20)の軸挿入凹部(22)から係脱させた後、例えば図１４に示すように、他方のロック解除ボタン(80,90)を操作して、当該ロック解除ボタン(80,90)に対応するロックスライダー(60,70)の開閉軸(121,131,141,151)を収納体(20)の軸挿入凹部(22)から係脱させることで、例えば１５に示すように、蓋体(30)を収納体(20)から取り外せるようにしている。
（請求項２）
請求項２に記載の発明は、上記した請求項１に記載の発明の特徴点に加え、次の点を特徴とする。
【００１５】
すなわち、２個のロッド端部の間には、例えば図１及び図２に示すように、次の構成を備えている。
（１）第２付勢手段(110)
第２付勢手段(110)は、２個のロッド端部を互いに離隔する方向に付勢することで、各ロック解除ボタン(80,90)を操作方向と逆向きに突出させるためのものである。
（請求項３）
請求項３に記載の発明は、上記した請求項１又は請求項２に記載の発明の特徴点に加え、次の点を特徴とする。
【００１６】
すなわち、収納体(20)の開口部(21)の周縁部には、例えば図５及び図６に示すように、次の構成を設けている。
（１）姿勢維持部(24)
姿勢維持部(24)は、開放した蓋体(30)のヒンジ側のロック解除ボタン(80,90)と当接することで、蓋体(30)を直立状態に維持させるためのものである。
（請求項４）
請求項４に記載の発明は、上記した請求項３に記載の発明の特徴点に加え、次の点を特徴とする。
【００１７】
すなわち、ロック解除ボタン(80,90)と姿勢維持部(24)との間には、例えば図６に示すように、互いにはまり込む凹凸部（例えばロック凹部85,95、ロック凸部25）の一方をそれぞれに設けている。
（請求項５）
請求項５に記載の発明は、上記した請求項１〜４のいずれか１項に記載の発明の特徴点に加え、次の点を特徴とする。
【００１８】
すなわち、一対の軸挿入凹部(22)の縁部には、例えば図７に示すように、開放した蓋体(30)が閉じる際に、蓋体(30)の自由端側の一対の開閉軸(121,131,141,151)にそれぞれ当接し、当該一対の開閉軸(121,131,141,151)を互いに接近する方向に移動させるためのテーパー面(23)をそれぞれ設けている。
【発明の効果】
【００１９】
本発明は、以上のように構成されているので、以下に記載されるような効果を奏する。
（請求項１）
請求項１に記載の発明によれば、次のような効果を奏する。
すなわち、請求項１に記載の発明によれば、蓋体の開放状態においても、ヒンジ側のロック解除ボタンの操作を可能とすることで、メンテナンス時に収納体から蓋体を取り外すことができる。
（請求項２）
請求項２に記載の発明によれば、上記した請求項１に記載の発明の効果に加え、次のような効果を奏する。
【００２０】
すなわち、請求項２に記載の発明によれば、第２付勢手段の付勢力により、ロック解除ボタンを操作方向と逆向きに突出させることができる。
すなわち、請求項２に記載の発明によれば、ロック解除ボタンを復帰させるために、第１付勢手段の付勢力を必要としなくなるので、第１付勢手段の付勢力を適切に設定、例えば必要最小限度の付勢力に設定することができる。
（請求項３）
請求項３に記載の発明によれば、上記した請求項１又は請求項２に記載の発明の効果に加え、次のような効果を奏する。
【００２１】
すなわち、請求項３に記載の発明によれば、蓋体の解放時に、ロック解除ボタンを収納体に直接的に当接させることで、蓋体を直立状態に維持させることができる。
（請求項４）
請求項４に記載の発明によれば、上記した請求項３に記載の発明の効果に加え、次のような効果を奏する。
【００２２】
すなわち、請求項４に記載の発明によれば、ロック解除ボタンと収納体側の姿勢維持部との間に、互いにはまり込む凹凸部の一方をそれぞれに設けることで、開放状態の蓋体が不用意に閉じるのを未然に防止することができる。
（請求項５）
請求項５に記載の発明によれば、上記した請求項１〜４のいずれか１項に記載の発明の効果に加え、次のような効果を奏する。
【００２３】
すなわち、請求項５に記載の発明によれば、開放した蓋体が閉じる際に、テーパー面により一対の開閉軸を案内でき、蓋体をスムーズに閉じることができる。
例えば、蓋体を自重だけで閉じるようにすることも可能である。
【発明を実施するための最良の形態】
【００２４】
（図面の説明）
図１〜１５は、本発明の実施の形態の一例をそれぞれ示すものである。
図１は、蓋体の開閉機構の概略平面図、図２は蓋体の開閉機構を使用したコンソールボックスの分解斜視図、図３は蓋本体を取り外し、蓋体を開放した状態を説明するためのコンソールボックスの斜視図、図４は開放状態のコンソールボックスの側面図、図５は図４のＶ−Ｖ線に沿う断面図、図６は図５の一部拡大図、図７は収納体の軸挿入凹部と蓋体の開閉軸との関係を説明するための一部拡大図、図８はロック解除ボタンのカム溝とスライダー分割体のカムピンとの関係を説明するための一部拡大図、図９は閉じた状態のコンソールボックスの斜視図、図１０は図１に対応し、第１ロック解除ボタンを操作した状態を説明するための蓋体の開閉機構の概略平面図、図１１は図１に対応し、第１ロック解除ボタン及び第２ロック解除ボタンを同時に操作した状態を説明するための蓋体の開閉機構の概略平面図、図１２は第１ロック解除ボタンを操作して蓋体を開放した状態を説明するためのコンソールボックスの斜視図、図１３は第２ロック解除ボタンを操作して蓋体を開放した状態を説明するためのコンソールボックスの斜視図、図１４は第１ロック解除ボタンを操作して蓋体を開放した後、第２ロック解除ボタンを操作している状態を説明するためのコンソールボックスの斜視図、図１５は蓋体を取り外した状態を説明するためのコンソールボックスの斜視図をそれぞれ示すものである。
（コンソールボックス10）
図中、10は、本発明に係る蓋体の開閉機構を使用したコンソールボックスを示すものであり、コンソールボックス10は、図示しないが、自動車の運転席と助手席との間に配置される。
【００２５】
なお、本発明に係る蓋体の開閉機構を、自動車用のコンソールボックスに使用したが、自動車に限定されず、他の列車、飛行機、船等の乗り物のほか、家具、家電製品、事務機器等に使用しても良い。
コンソールボックス10は、図２に示すように、大別すると、次のパーツを備える。
なお、コンソールボックス10のパーツは、次の（１）〜（２）に限定されない。
【００２６】
（１）収納体20
収納体20は、図２に示すように、中空な箱形を成し、上面に開口部21を有する。
（２）蓋体30
蓋体30は、図２に示すように、後述する開閉機構を介して収納体20に開閉可能に取り付けられ、開口部21を開閉するためのものである。蓋体30は、図１２及び図１３に示すように、２方向から開閉可能となっている。
（収納体20）
収納体20は、図５〜７に示すように、開口部21のほか、次の各部を備える。
【００２７】
なお、コンソールボックス10のパーツは、次の（１）〜（４）に限定されない。
（１）軸挿入凹部22
軸挿入凹部22は、図７に示すように、後述する蓋体30の一対の開閉軸121,131,141,151がそれぞれはまり込み、蓋体30を開閉可能に支持するためのものである。
（２）テーパー面23
テーパー面23は、図７に示すように、一対の軸挿入凹部22の縁部にそれぞれ設けられ、開放した蓋体30が閉じる際に、後述する蓋体30の自由端側の一対の開閉軸121,131,141,151にそれぞれ当接し、当該一対の開閉軸121,131,141,151を互いに接近する方向に移動させるためのものである。
【００２８】
具体的には、軸挿入凹部22の内外の縁部のうち、収納体20の開口部21に面した外側の縁部を外側に向かって略ハの字形に開くように傾斜させている。
（３）姿勢維持部24
姿勢維持部24は、開放した蓋体30の後述するヒンジ側のロック解除ボタン80,90と当接することで、蓋体30を直立状態に維持させるためのものである。
【００２９】
具体的には、姿勢維持部24は、収納体20の開口縁部を上方に向かって突出させて形成している。
（４）ロック凸部25
ロック凸部25は、図６に示すように、姿勢維持部24と後述するロック解除ボタン80,90との間にそれぞれ設けられた、互いにはまり込む凹凸部の一方である凸部として設けられるものである。
【００３０】
具体的には、ロック凸部25は、姿勢維持部24の上端部を先細状に尖らせて形成している。
これに対し、ロック解除ボタン80,90には、後述するが、互いにはまり込む凹凸部の他方である凹部として、ロック凹部85,95を設けている。
なお、姿勢維持部24に、凸部としてロック凸部25を設け、ロック解除ボタン80,90に凹部としてロック凹部85,95を設けたが、逆に姿勢維持部24に凹部を、ロック解除ボタン80,90に凸部を設けても良い。
（蓋体30）
蓋体30は、図２に示すように、大別すると、次のパーツを備える。
【００３１】
なお、蓋体30のパーツは、次の（１）〜（２）に限定されない。
（１）蓋本体40
蓋本体40は、図２に示すように、収納体20の開口部21に面し、当該開口部21を閉じるものである。
（２）カバー50
カバー50は、図２に示すように、蓋本体40に固定され、当該蓋本体40との間に、後述する開閉機構が収納されている。
（開閉機構）
開閉機構は、大別すると、次のパーツを備える。
【００３２】
（１）第１、第２ロックスライダー60,70
（２）第１、第２ロック解除ボタン80,90
（３）第１付勢手段100,101
（４）第２付勢手段110
なお、開閉機構のパーツは、上記した（１）〜（４）に限定されない。
（第１、第２ロックスライダー60,70）
第１、第２ロックスライダー60,70は、図３に示すように、２個有り、蓋体30の対向する２辺にそれぞれ配置され、対向する方向に直交する方向にスライド可能に設けられている。
【００３３】
具体的には、第１、第２ロックスライダー60,70は、蓋体30のうち、カバー50にスライド可能に支持されている。
（第１、第２ロック解除ボタン80,90）
第１、第２ロック解除ボタン80,90は、図１及び図２に示すように、２個有り、２個のロックスライダー60,70にそれぞれ設けられ、後述する第１付勢手段100,101の付勢力に抗して一対の開閉軸121,131,141,151を互いに接近する方向に移動させることで、一対の軸挿入凹部22から係脱させ、蓋体30の開放を可能とするためのものである。
【００３４】
具体的には、第１、第２ロック解除ボタン80,90は、第１、第２ロックスライダー60,70と同様に、蓋体30のうち、カバー50にスライド可能に支持されている。第１、第２ロック解除ボタン80,90は、第１、第２ロックスライダー60,70と直交する方向にスライド可能に支持され、カバー50の蓋体30の対向する２辺から一部突出させている。
（第１付勢手段100,101）
第１付勢手段100,101は、図１及び図２に示すように、一対の開閉軸121,131,141,151を互いに離隔する方向に付勢することで、一対の軸挿入凹部22に係合させるためのものである。
【００３５】
具体的には、第１付勢手段100,101は、図２に示すように、コイルスプリングが使用されている。
なお、第１付勢手段100,101として、コイルスプリングを例示したが、これに限定されず、板バネ等を使用しても良い。
（第２付勢手段110）
第２付勢手段110は、後述する２個のロッド部82,92の各ロッド端部を互いに離隔する方向に付勢することで、各ロック解除ボタン80,90を操作方向と逆向きに突出させるためのものである。
【００３６】
具体的には、第２付勢手段110は、図２に示すように、コイルスプリングが使用されている。
なお、第２付勢手段110として、コイルスプリングを例示したが、これに限定されず、板バネ等を使用しても良い。
（第１、第２ロックスライダー60,70）
第１、第２ロックスライダー60,70は、図１に示すように、次のパーツを備える。
【００３７】
なお、ロックスライダー60,70のパーツは、次の（１）に限定されない。
（１）第１、第２スライダー分割体120,130,140,150
第１ロックスライダー60は、第１スライダー分割体120と、第２スライダー分割体130とから構成されている。第１スライダー分割体120と第２スライダー分割体130とは、棒状に形成され、全長を異ならせ、第１スライダー分割体120の全長を、第２スライダー分割体130の全長より長く設定している。
【００３８】
そして、第１スライダー分割体120と第２スライダー分割体130との相対向する端部の間に、コイルスプリングである第１付勢手段100を配置し、コイルスプリングの圧縮復元力により、第１スライダー分割体120と第２スライダー分割体130とを互いに離隔する方向に付勢している。
なお、第１スライダー分割体120と第２スライダー分割体130との全長を異ならせたが、これに限定されず、全長を等しく設定しても良い。
【００３９】
また、第２ロックスライダー70も、第１ロックスライダー60と同様の構造を有している。
すなわち、第２ロックスライダー70は、第１スライダー分割体140と、第２スライダー分割体150とから構成されている。
そして、第１スライダー分割体140と第２スライダー分割体150との相対向する端部の間に、コイルスプリングである第１付勢手段110を配置し、コイルスプリングの圧縮復元力により、第１スライダー分割体140と第２スライダー分割体150とを互いに離隔する方向に付勢している。
（第１、第２ロック解除ボタン80,90）
第１、第２ロック解除ボタン80,90は、図８に示すように、次のパーツを備える。
【００４０】
（１）カム溝81,91
（２）ロッド部82,92
（３）カム面83,93
（４）カム凹部84,94
（５）ロック凹部85,95
なお、第１、第２ロック解除ボタン80,90のパーツは、上記した（１）〜（５）に限定されない。
（カム溝81,91）
カム溝81,91は、図８に示すように、第１、第２ロック解除ボタン80,90の表裏面に貫通し、６角形の方形に形成されている。カム溝81,91は、第１付勢手段100,101の付勢力に抗して、第１、第２スライダー分割体120,130,140,150を互いに接近する方向に移動するためのものである。
【００４１】
具体的には、カム溝81,91には、図８に示すように、後述する第１、第２スライダー分割体120,130,140,150のカムピン122,132,142,152が突入する。
なお、カム溝81,91とカムピン122,132,142,152とからカム機構を構成したが、これに限定されず、第１、第２ロック解除ボタン80,90を押す力を、他の機構を利用して後述する第１、第２スライダー分割体120,130,140,150に伝達するようにしても良い。
（ロッド部82,92）
ロッド部82,92は、図１に示すように、各ロック解除ボタン80,90にそれぞれ設けられ、相対向して互いに接近する方向に延びている。
【００４２】
また、両ロッド部82,92の互いに接近したロッド端部の間の距離Ｌを、図１及び図１１に示すように、２個のロック解除ボタン80,90が同時に操作されたときに互いに衝突することで、一対の軸挿入凹部22から一対の開閉軸121,131,141,151が係脱することを阻止する距離に設定している。
さらに、２個のロック解除ボタン80,90の一方のロック解除ボタン、例えば第１ロック解除ボタン80を操作して、当該第１ロック解除ボタン80に対応する第１ロックスライダー60の開閉軸121,131を収納体20の軸挿入凹部22から係脱させた後、図１４に示すように、他方のロック解除ボタン、例えば第２ロック解除ボタン90を操作して、当該第２ロック解除ボタン90に対応する第２ロックスライダー70の開閉軸141,151を収納体20の軸挿入凹部22から係脱させることで、図１５に示すように、蓋体30を収納体20から取り外せるようにしている。
【００４３】
なお、第１ロック解除ボタン80の操作後、第２ロック解除ボタン90を操作したが、逆に第２ロック解除ボタン90の操作後、第１ロック解除ボタン80を操作しても良い。
一方、両ロッド部82,92の間には、コイルスプリングである第２付勢手段110を配置し、コイルスプリングの圧縮復元力により、第１、第２ロック解除ボタン80,90を互いに離隔する方向に付勢している。
（カム面83,93）
カム面83,93は、図８に示すように、ロック解除ボタン80,90のスライド方向と直交するカム溝81,91の相対向する内側面に一対形成され、略Ｖ字形に折れ曲がっている。カム面83,93には、後述する第１、第２スライダー分割体120,130,140,150のカムピン122,132,142,152が摺接する。
（カム凹部84,94）
カム凹部84,94は、図８に示すように、隣接するカム面83,93の間に形成され、後述する第１、第２スライダー分割体120,130,140,150のカムピン122,132,142,152がはまり込むものである。
（ロック凹部85,95）
ロック凹部85,95は、図６に示すように、蓋体30から突出する第１、第２ロック解除ボタン80,90の先端部の外面に形成され、収納体20のロック凸部25がはまり込むことで、蓋体30を直立状態に維持させるためのものである。
【００４４】
ロック凹部85,95とロック凸部25とが互いにはまり込んで状態では、第１、第２ロック解除ボタン80,90に作用する第２付勢手段110の圧縮復元力により、ロック凹部85,95とロック凸部25とが弾性的に当接する。
すなわち、蓋体30が開放する際に、蓋体30から突出する第１、第２ロック解除ボタン80,90の外面が、収納体20のロック凸部25に摺接し、第１、第２ロック解除ボタン80,90が引っ込む方向に押され、第２付勢手段110が少し圧縮される。蓋体30が更に開放されると、第２付勢手段110の圧縮復元力により、ロック凹部85,95がロック凸部25内にパチンとはまり込む。
（第１、第２スライダー分割体120,130,140,150）
第１、第２スライダー分割体120,130,140,150は、次のパーツを備える。
【００４５】
なお、第１、第２スライダー分割体120,130,140,150のパーツは、次の（１）〜（２）に限定されない。
（１）開閉軸121,131,141,151
開閉軸121,131,141,151は、図１及び図７に示すように、各ロックスライダー60,70の両端部にそれぞれ設けられ、収納体20に設けられた対向する一対の軸挿入凹部22に回転可能に支持されるとともに、互いに接離する方向にスライドすることで、一対の軸挿入凹部22に出退可能なものである。
【００４６】
具体的には、開閉軸121,131,141,151は、図１に示すように、第１、第２スライダー分割体120,130,140,150の外側の端部にそれぞれ設けられている。
（２）カムピン122,132,142,152
カムピン122,132,142,152は、図６に示すように、第１、第２スライダー分割体120,130,140,150の内側の端部から、第１、第２ロック解除ボタン80,90のカム溝81,91に向かってそれぞれ突出している。
【００４７】
具体的には、カムピン122,132,142,152は、カム溝81,91のカム面83,93と接する先端部が半円形に丸まった略弾丸形に形成されている。カムピン122,132,142,152は、第１付勢手段100,101の圧縮復元力により、カム面83,93に弾性的に当接する。
カムピン122,132,142,152が、カム溝81,91のカム凹部84,94にはまり込んだ状態では、第１、第２スライダー分割体120,130,140,150が最大限に離隔し、開閉軸121,131,141,151は収納体20の軸挿入凹部22内にはまり込む。カムピン122,132,142,152が、カム溝81,91のカム面83,93をトレースすると、第１、第２スライダー分割体120,130,140,150が互いに徐々に接近する。
（第１付勢手段100,101と第２付勢手段110との関係）
第１付勢手段100,101は、主として、第１、第２スライダー分割体120,130,140,150の開閉軸121,131,141,151を、収納体20の軸挿入凹部22に向かって弾性的に突出させるためである。
【００４８】
第２付勢手段110は、主として、第１、第２ロック解除ボタン80,90を外向きに突出させるためのものである。
第１、第２ロック解除ボタン80,90と、第１、第２スライダー分割体120,130,140,150とは、リンク機構を介して連結していることから、第１付勢手段100,101と第２付勢手段110とは補完しあっている。
【００４９】
すなわち、第１付勢手段100,101は、第１、第２スライダー分割体120,130,140,150に直接的に作用しているが、リンク機構を介して、第１、第２ロック解除ボタン80,90を外向きに突出させる作用もある。
仮に、第２付勢手段110を省略した場合には、第１付勢手段100,101単独で第１、第２ロック解除ボタン80,90を外向きに突出させることとなるので、バネ力を強く設定する必要がある。
【００５０】
これに対し、第２付勢手段110を追加することで、第１付勢手段100,101の付勢力を最適に設定、例えば必要最小限度の付勢力に設定することができる。
すなわち、開放した蓋体30を少し閉じると、第１、第２ロック解除ボタン80,90のロック凹部85,95が収納体20のロック凸部25から係脱し、蓋体30が自重で閉じる。蓋体30が閉じると、第１、第２スライダー分割体120,130,140,150の開閉軸121,131,141,151が、収納体20の軸挿入凹部22のテーパー面23に当接する。
【００５１】
このとき、第１付勢手段100,101の付勢力を必要最小限度に設定していることから、蓋体30が自重により、開閉軸121,131,141,151がテーパー面23に押されて引っ込んだ後、軸挿入凹部22にはまり込むことで、蓋体30を閉位置にロックすることが可能となる。
（開閉機構の動作の説明）
つぎに、上記した構成を備える開閉機構の動作について説明する。
【００５２】
まず、閉じた状態の蓋体30を開放するようには、第１、第２ロック解除ボタン80,90のうち、開きたい方向の１個の第１、第２ロック解除ボタン80,90を操作すれば良い。
すなわち、図９に示すように、第１ロック解除ボタン80を符号「Ｆ１」の矢印方向に押し込むと、図１０に示すように、第１スライダー分割体120と第２スライダー分割体130とが接近する方向に距離ａだけ移動する。このため、第１スライダー分割体120の開閉軸121と、第２スライダー分割体130の開閉軸131が、収納体20の軸挿入凹部22から係脱する。
【００５３】
なお、具体的には、軸挿入凹部22から開閉軸121,131を係脱させるためのロック解除距離を、例えば「3.1mm」に設定している。第１ロック解除ボタン80を、例えば「3.5mm」だけ押し込むと、開閉軸121,131が前述した距離ａだけ移動し、当該距離ａを前述のロック解除距離より大きく、例えば「3.3mm」に設定している。また、このとき、図１のロッド端部の間の距離Ｌは、図１０に示すように、距離Ｍに短縮する。具体的には、距離Ｌを例えば「4mm」に設定し、距離Ｍを距離Ｌ未満で、且つ「0mm」より長く、例えば「0.5mm」に設定している。
【００５４】
その後、蓋体30を持って開くと、図１２に示すように、収納体20の軸挿入凹部22にはまり込んでいる第１、第２スライダー分割体140,150の開閉軸141,151を支点として、蓋体30が開く。
蓋体30が開くと、支点側の第２ロック解除ボタン90のロック凹部95に、収納体20のロック凸部25がはまり込むことで、蓋体30が直立した状態に維持される。
【００５５】
これに対し、第２ロック解除ボタン90を押すことで、図１３に示すように、逆側からも蓋体30を開くことが可能となっている。
（第１、第２ロック解除ボタン80,90の同時操作）
つぎに、第１、第２ロック解除ボタン80,90を同時に操作した場合について説明する。
すなわち、図９に示すように、第１ロック解除ボタン80を符号「Ｆ２」の矢印方向に押し込み、同時に第２ロック解除ボタン90を符号「Ｆ３」の矢印方向に押し込んだ場合である。
【００５６】
このとき、第１ロック解除ボタン80のロッド部82のロッド端部と、第２ロック解除ボタン90のロッド部92のロッド端部とが互いに衝突することで、第１、第２ロック解除ボタン80,90をそれ以上、押し込めなくなる。
このとき、図１１に示すように、第１、第２スライダー分割体120,130,140,150が接近する方向に距離ｂだけ移動する。
【００５７】
距離ｂは、第１、第２スライダー分割体120,130,140,150の開閉軸121,131,141,151が、収納体20の軸挿入凹部22から抜け切らない距離に設定されている。すなわち、距離ｂは、前述した図１０の距離ａ未満に設定されている。
このため、蓋体30をいずれの方向からも開放することができない。
なお、具体的には、第１、第２ロック解除ボタン80,90を同時に、例えば「2mm」だけ押し込むと、両ロッド端部が互いに衝突し、それ以上、第１、第２ロック解除ボタン80,90を押し込むことができなくなる。このとき、開閉軸121,131が前述した距離ｂだけ移動する。距離ｂは、前述したロック解除距離未満に設定され、例えば「1.8mm」に設定されている。
（蓋体30の取り外し）
つぎに、蓋体30の取り外し方法について説明する。
【００５８】
まず、図１４に示すように、第１、第２ロック解除ボタン80,90のいずれか一方、例えば第１ロック解除ボタン80を押して、蓋体30を片側から開く。
第１ロック解除ボタン80を押す力を解放すると、第２付勢手段110圧縮復元力により、第１ロック解除ボタン80が外側に向かって突出し、図１に示すように、ロッド部82,92の両ロッド端部が離隔して、両ロッド端部の間の距離ａが発生する。
【００５９】
このため、他方の第２ロック解除ボタン90の押し込みが可能となり、当該第２ロック解除ボタン90を押すことで、図１５に示すように、蓋体30を収納体20から取り外せるようになる。
【図面の簡単な説明】
【００６０】
【図１】蓋体の開閉機構の概略平面図である。
【図２】蓋体の開閉機構を使用したコンソールボックスの分解斜視図である。
【図３】蓋本体を取り外し、蓋体を開放した状態を説明するためのコンソールボックスの斜視図である。
【図４】開放状態のコンソールボックスの側面図である。
【図５】図４のＶ−Ｖ線に沿う断面図である。
【図６】図５の一部拡大図である。
【図７】収納体の軸挿入凹部と蓋体の開閉軸との関係を説明するための一部拡大図である。
【図８】ロック解除ボタンのカム溝とスライダー分割体のカムピンとの関係を説明するための一部拡大図である。
【図９】閉じた状態のコンソールボックスの斜視図である。
【図１０】図１に対応し、第１ロック解除ボタンを操作した状態を説明するための蓋体の開閉機構の概略平面図である。
【図１１】図１に対応し、第１ロック解除ボタン及び第２ロック解除ボタンを同時に操作した状態を説明するための蓋体の開閉機構の概略平面図である。
【図１２】第１ロック解除ボタンを操作して蓋体を開放した状態を説明するためのコンソールボックスの斜視図である。
【図１３】第２ロック解除ボタンを操作して蓋体を開放した状態を説明するためのコンソールボックスの斜視図である。
【図１４】第１ロック解除ボタンを操作して蓋体を開放した後、第２ロック解除ボタンを操作している状態を説明するためのコンソールボックスの斜視図である。
【図１５】蓋体を取り外した状態を説明するためのコンソールボックスの斜視図である。
【符号の説明】
【００６１】
10  コンソールボックス
20  収納体
21  開口部            22  軸挿入凹部
23  テーパー面        24  姿勢維持部
25  ロック凸部
30  蓋体
40  蓋本体
50  カバー
60  第１ロックスライダー
70  第２ロックスライダー
80  第１ロック解除ボタン
81  カム溝            82  ロッド部
83  カム面            84  カム凹部
85  ロック凹部
90  第２ロック解除ボタン
91  カム溝            92  ロッド部
93  カム面            94  カム凹部
95  ロック凹部
100,101  第１付勢手段
110  第２付勢手段
120  第１スライダー分割体
121  開閉軸           122  カムピン
130  第２スライダー分割体
131  開閉軸           132  カムピン
140  第１スライダー分割体
141  開閉軸           142  カムピン
150  第２スライダー分割体
151  開閉軸           152  カムピン
【図１】
0004972017.tif 000002
【図２】
0004972017.tif 000003
【図３】
0004972017.tif 000004
【図４】
0004972017.tif 000005
【図５】
0004972017.tif 000006
【図６】
0004972017.tif 000007
【図７】
0004972017.tif 000008
【図８】
0004972017.tif 000009
【図９】
0004972017.tif 000010
【図１０】
0004972017.tif 000011
【図１１】
0004972017.tif 000012
【図１２】
0004972017.tif 000013
【図１３】
0004972017.tif 000014
【図１４】
0004972017.tif 000015
【図１５】
0004972017.tif 000016